(57)【要約】  【課題】  フォーク等の刺す機能を持った部分によって、誤って人体に対して危害を与えることを防止し、また、１つの食器具でいろいろな機能をもたせることのできる食器具を提供することを目的とする。  【解決手段】  本考案の食器具１は、刺部１０、掬い部２０、柄部３０からなる。刺部１０は、保護幹部１２、保護部１３が、刺突部１４が人体等の対象物に刺さるのを防ぐ。また、刃部１５が保護幹部１２と一体的に形成されており、更に掬い部２０もあるので、本考案は、刺すのみでなく、切る、掬うの３つの機能を持ち合わせている。【選択図】      図１
0003108251.tif 000002
【実用新案登録請求の範囲】
【請求項１】
柄部の両端に刺部と掬い部を備える食器具において、前記刺部は、刺部本体部の端部の両端に互いに平行に設けられた保護幹部と、前記保護幹部の先端部に設けられた保護部と、前記保護幹部間に、互いに平行に設けられた刺突部とからなり、前記保護幹部と前記刺突部とが所定角度をなすことを特徴とする食器具。
【請求項２】
前記保護幹部と前記保護部とがＬ字型形状になるように形成されたことを特徴とする請求項１に記載の食器具。
【請求項３】
前記保護部を円柱形状、又は球状に形成されたことを特徴とする請求項１に記載の食器具。
【請求項４】
前記掬い部は、底面部と側面部からなり、前記底面部が平面形状になっており、前記側面部の少なくとも一部が前記掬い部の内側に凹んだ曲面形状になっていることを特徴とする請求項１乃至３に記載の食器具。
【請求項５】
前記保護幹部の少なくとも一方に刃部を設けたことを特徴とする請求項１乃至４に記載の食器具。
【考案の詳細な説明】
【技術分野】
【０００１】
本考案は、柄部の両端に刺部と掬い部を有した食器具、特に刺部に保護幹部を設け、安全面に考慮した食器具に関する。
【背景技術】
【０００２】
通常、飛行機内の機内食においては、スプーン、フォーク、ナイフ等の食器具が用意されている。これらは、それぞれ独立した食器具であるので、飛行機内のように限られたスペースしかないところでは、食器具の置き場に困ることがある。このため、１つの食器具にいろいろな機能を持たせた食器具が望まれる。
【０００３】
１つの食器具でいろいろな機能を持たせた食器具として、特許文献１において柄の両端にスプーンとフォークがそれぞれ取付けられた食器具が開示されている。これは、スプーンとフォークの２つ機能を１本の食器具にまとめ、それらの機能を十分に生かし、かつ便利さを提供するものであった。
【特許文献１】実開平５−１１８７５
【考案の開示】
【考案が解決しようとする課題】
【０００４】
しかしながら、フォークは、刺すという機能を有する以上、これに対しての安全性は、できるだけ万全を期す必要がある。特に飛行機や列車や車等の移動体の中で食事をする場合は、飛行機や列車や車等の性能が向上して揺れが少なくなったと言っても、悪天候による飛行機の揺れや予期しない出来事による列車や車の急停止で乗員がフォークを誤って、人体に刺したりする可能性はある。この点については、特許文献１において開示された食器具では何ら考慮されていない。
【０００５】
以上のような問題点に鑑み、本考案は、フォークの刺突部が、誤って人体等に対して危害を与えることを防止し、また、１つの食器具でいろいろな機能をもたせることのできる食器具を提供することを目的とする。
【課題を解決するための手段】
【０００６】
上記課題を解決するために、第１の考案は、柄部の両端に刺部と掬い部を備える食器具において、前記刺部は、刺部本体部の端部の両端に互いに平行に設けられた保護幹部と、前記保護幹部の先端部に設けられた保護部と、前記保護幹部間に、互いに平行に設けられた刺突部とからなり、前記保護幹部と前記刺突部とが所定角度をなすことを特徴とする。
【０００７】
第２の考案は、前記保護幹部と前記保護部とがＬ字型形状になるように形成されたことを特徴とする。
【０００８】
第３の考案は、前記保護部を円柱形状、又は球状に形成されたことを特徴とする。
【０００９】
第４の考案は、前記掬い部は、底面部と側面部からなり、前記底面部が平面形状になっており、前記側面部の少なくとも一部が前記掬い部の内側に凹んだ曲面形状になっていることを特徴とする。
【００１０】
第５の考案は、前記保護幹部の少なくとも一方に刃部を設けたことを特徴とする。
【考案の効果】
【００１１】
第１の考案によれば、柄部の両端に刺部と掬い部を備える食器具において、前記刺部は、刺部本体部の端部の両端に互いに平行に設けられた保護幹部と、前記保護幹部の先端部に設けられた保護部と、前記保護幹部間に、互いに平行に設けられた刺突部とからなり、前記保護幹部と前記刺突部とが所定角度をなしているので、第１の考案の食器具で誤って、人体等の対象物に刺そうとした場合に、まず保護幹部が人体等の対象物に接触するので、人体等の対象物を傷つけたりすることを防ぐことができる。
【００１２】
第２の考案によれば、前記保護幹部と前記保護部とがＬ字型形状になるように形成されたので、前記刺部がある対象物に当たっても、まずＬ字部分のうちの保護部が対象物に当たるので、刺突部は対象物に触れず、人体等の対象物を傷つけることを防ぐことができる。
【００１３】
第３の考案によれば、前記保護部が人体等の対象物に当たっても、前記保護部を円柱形状、又は球状に形成されたので、保護部が人体等に接触する面積をある程度大きくとれるので、人体等を傷つけずに済む。
【００１４】
第４の考案によれば、前記掬い部は、底面部と側面部からなり、前記底面部が平面形状になっており、前記側面部の少なくとも一部が前記掬い部の内側に凹んだ曲面形状になっているので、掬い部から口に食べ物を入れ易くすることができる。
【００１５】
第５の考案によれば、前記保護幹部の少なくとも一方に刃部を設けたので、１つの食器具において、刺したり、掬ったり、切ったりと３つの用途に供することができる。
【考案を実施するための最良の形態】
【００１６】
第１の実施例
以下、本考案の実施例について図面を参照しながら説明する。図１は、本考案の第１の実施例の食器具を示す斜視図である。本考案の食器具１は、刺部１０、掬い部２０、柄部３０からなる。
【００１７】
刺部１０は、刺部本体部１１、保護幹部１２（保護幹部１２ａ、１２ｂを合わせて以下保護幹部１２という。）、保護部１３（保護部１３ａ、１３ｂを合わせて以下保護部１３という。）、刺突部１４（刺突部１４ａ、１４ｂ、１４ｃを合わせて以下刺突部１４という。）、刃部１５からなる。
【００１８】
次に刺部１０の構造について説明する。刺部本体部１１の端部に保護幹部１２、刺突部１４が設けられている。刺突部１４は、食物を刺すための部分であり、保護幹部１２及び保護部１３は、誤って刺突部１４が人体等にささることを防ぐための部分である。保護幹部１２は、刺部本体部１１の端部の両端に設けられ、その間に刺突部１４が設けられている。保護幹部１２の先端部に保護部１３が設けられ、保護幹部１２と保護部１３は、一体的に形成されており、両者を一体的に見るとＬ字型形状になっている。
【００１９】
図２は、本考案の食器具１を上方から見たの平面図である。図２に示すように、刺突部１４は、刺部本体部１１端部において、保護幹部１２ａ、１２ｂの間に等間隔に設けられている。また、図１、２に示すように刺突部１４はその先端部が尖った三角形柱形状になっている。一方、保護部１３は、円柱形状でその先端部は、人体等に接触しても安全なように丸みを帯びた形状になっている。保護幹部１２は、例えば、略直方体又は、略円柱形状のどちらでもよい。なお、保護幹部１２、刺突部１４の形状は、直線状に限られず、曲線状にしてもよい。
【００２０】
図３は、本考案の食器具１の側面図である。図３に示すように保護幹部１２と刺突部１４は、所定角度をなしている。保護幹部１２と刺突部１４を平行にすると保護幹部１２が邪魔して、刺突部１４で食物を刺すことが難しくなるからである。
【００２１】
更に保護幹部１２と刺突部１４の長さ関係について説明する。保護幹部１２は、本考案の食器具１を誤って人体等の対象物に刺してしまいそうになった場合に、尖った刺突部１４が人体等の対象物に接触しないように、まず保護幹部１２を人体等の対象物に接触させようという役割を果たす部分である。したがって、その役割を十分に果たすように、保護幹部１２と刺突部１４の長さを決める必要がある。
【００２２】
つまり、これを図３を用いて説明すると、図３に示すように人体等の対象物の外面をＸ―Ｙ面とするとき、まず、保護幹部１２がＸ―Ｙ面に接触した時は、刺突部１４がＸ―Ｙ面に接触していないような保護幹部１２と刺突部１４の長さ関係が必要となる。例えば、保護幹部１２、刺突部１４とも直線形状とした場合、図３中の辺ＯＰの長さをｈ、辺ＯＱの長さをｓ、保護幹部１２と刺突部１４のなす角度をθとするとｓ＜ｈ・ｃｏｓθの関係を満たせばよい。
【００２３】
次に刃部１５について説明する。刃部１５は、食べ物等を切るための部分である。図２に示すように刃部１５は、保護幹部１２ｂと一体的になっており、保護幹部１２ｂの外側側面に設けられている。本実施例では、保護幹部１２ｂと一体的に設けられているが、保護幹部１２ａと一体的に刃部１５を設けても良いし、保護幹部１２ａ及び保護幹部１２ｂのそれぞれに刃部１５を設けてもよい。
【００２４】
刃部１５をこのような位置に設けることによって、食器具の構造を複雑にすることなく、食べ物を切ることのできる機能を付加できる。
【００２５】
次に掬い部２０について説明する。掬い部２０は、底面部２１、側面部２２からなる。底面部２１の形状は、平面形状になっており、側面部２２は、曲面形状になっている。また、図３に示すように前側面部２２ａは、所定の曲率を持ち、掬い部２０の内側に凹んだ曲面になっている。前側面部２２ａを掬い部２０の内側に凹んだ曲面にすることによって、掬い部２０からスープ等を口に入れる時に、口に入れやすくなる。
【００２６】
また、図２に示すように上方から見た場合、底面部２１、掬い部２０の最上面部２３は、略楕円形状になっている。
【００２７】
本考案の食器具の材質は、例えば、チタンが好ましい。チタンは、軽く、高い強度を持つからである。しかし、これに限るものでなく、金属、プラスチックでもよい。
【００２８】
第２の実施例
本考案の第２の実施例の食器具について以下説明する。図４（Ａ）は、第２の実施例の食器具２の刺部４０の斜視図であり、図４（Ｂ）は、第２の実施例の食器具２の刺部４０の平面図である。第１の実施例との相違点は、保護部の形状にある。食器具２の保護部４３（保護部４３ａ、４３ｂを合わせて以下保護部４３という。）は、図４（Ａ）、（Ｂ）に示すように保護幹部４２の先端部に取付けられている。
【００２９】
保護部４３の形状は、例えば、薄い円柱形状が考えられる。第２の実施例は、保護部４３を薄い円柱形状にした食器具である。保護部４３は、その円柱の中心と保護幹部４２の軸心とを合わせるようにして、一体的に成形される。
【００３０】
第３の実施例
本考案の第３の実施例の食器具について以下説明する。図４（Ｃ）に示すように食器具３の保護部４７（保護部４７ａ、４７ｂを合わせて以下保護部４７という。）も第２の実施例と同様に保護幹部４６の先端部に取付けられている。第３の実施例においては、保護部４７を球状にしてある。保護部４７が球状の場合には、球の中心が保護幹部４６の軸心の延長線上にくるようにして、一体的に成形される。
【００３１】
第２の実施例、第３の実施例の食器具２、３のように保護部４３、４７をかかる形状にすることによって、保護部４３、４７が人体等に接触する面積をある程度大きくとれるので、人体等を傷つけずに済む。
【００３２】
第４の実施例
本考案の第４の実施例の食器具について以下説明する。図５は、第４の実施例の食器具４の掬い部５０の斜視図である。掬い部５０は、底面部５１、前側面部５２ａ、右側面部５２ｂ、左側面部５２ｃ、後側面部５２ｄからなる。
【００３３】
前側面部５２ａは、掬い部内側に凹んだ長方形の曲面形状になっている。右側面部５２ｂ、左側面部５２ｃは、台形の１辺又は２辺を曲線にした平面形状になっている。後側面部５２ｄは、図５においては、長方形の平面形状になっているが、これに限るものでなく、前側面部５２ａと同様に掬い部内側に凹んだ長方形の曲面形状でもよい。
【００３４】
掬い部５０をかかる形状にすることによって、例えば、食器の形状が略直方体の場合、隅の部分の食物も掬いやすくなる。
【図面の簡単な説明】
【００３５】
【図１】本考案の第１の実施例の食器具の斜視図である。
【図２】本考案の第１の実施例の食器具を上方から見た平面図である。
【図３】本考案の第１の実施例の食器具の側面図である。
【図４】（Ａ）、（Ｂ）は、本考案の第２の実施例の食器具の刺部を示す図である。（Ｃ）は、本考案の第３の実施例の食器具の刺部を示す図である。
【図５】本考案の第４の実施例の食器具の掬い部の斜視図である。
【符号の説明】
【００３６】
１、２，３、４  食器具
１０、４０  刺部
１１、４１  刺部本体部
１２（１２ａ、１２ｂ）、４２（４２ａ、４２ｂ）、４６（４６ａ、４６ｂ）  保護幹部
１３（１３ａ、１３ｂ）、４３（４３ａ、４３ｂ）、４７（４７ａ、４７ｂ）  保護部
１４（１４ａ、１４ｂ、１４ｃ）、４４（４４ａ、４４ｂ、４４ｃ）、４８（４８ａ、４８ｂ、４８ｃ）  刺突部
１５、４５、４９  刃部
２０、５０  掬い部
２１  底面部
２２  側面部
２２ａ、５２ａ  前側面部
２３  最上面部
３０  柄部
５２ｂ  右側面部
５２ｃ  左側面部
５２ｄ  後側面部
【図１】
0003108251.tif 000003
【図２】
0003108251.tif 000004
【図３】
0003108251.tif 000005
【図４】
0003108251.tif 000006
【図５】
0003108251.tif 000007